(57)【要約】【課題】  回転トルクを低減することのできる回転型表示装置を提供すること。【解決手段】  回転型表示装置１は、台座２と、台座２上に回転可能に支持された回転表示部３と、回転表示部３を回転させるモータ４と、回転表示部３を収容する透明な保護容器５とを備える。回転表示部３は、液晶ディスプレイ等の平面型のディスプレイで構成されている。回転表示部３を透明な保護容器５内に設置し、その保護容器５内の気圧を保護容器５外の気圧より低くしている。つまり、外気圧（保護容器５外の気圧）をＰ０、保護容器５内の気圧をＰ１とすると、Ｐ０＞Ｐ１となるように、保護容器５内の気圧を設定してある。回転表示部３の回転時に受ける空気抵抗が小さくなり、回転表示部３を回転させるモータ４に掛かる負荷が低減される。【選択図】      図１
2005223724.tif 000002
【特許請求の範囲】
【請求項１】
回転表示部を回転させ、異なる方向から撮影した画像を前記回転表示部の回転周期に同期して表示させる回転型表示装置において、
前記回転表示部を透明な保護容器内に設置し、
前記保護容器内を、前記回転表示部の回転時に受ける抵抗が小さくなるようにしたことを特徴とする回転型表示装置。
【請求項２】
請求項１に記載の回転型表示装置において、
前記保護容器内の気圧を前記保護容器外の気圧より低くしたことを特徴とする回転型表示装置。
【請求項３】
請求項１に記載の回転型表示装置において、
前記保護容器内を、空気より軽い気体で満たしたことを特徴とする回転型表示装置。
【請求項４】
請求項２に記載の回転型表示装置において、
外気圧をＰ０、前記保護容器内の気圧をＰ１、前記回転表示部の内部圧力をＰ２とすると、Ｐ０＞Ｐ１＞Ｐ２或いはＰ０＞Ｐ１＝Ｐ２であることを特徴とする回転型表示装置。
【請求項５】
請求項１乃至４のいずれか一つに記載の回転型表示装置において、
前記保護容器を前記回転表示部が回転可能に支持された台座に密着させて、前記保護容器内を密閉構造としたことを特徴とする回転型表示装置。
【請求項６】
請求項１，２及び４のいずれか一つに記載の回転型表示装置において、
前記保護容器内の気圧を保持するための排気装置を備えることを特徴とする回転型表示装置。
【請求項７】
請求項１乃至６のいずれか一つに記載の回転型表示装置において、
前記回転表示部が液晶ディスプレイであることを特徴とする回転型表示装置。
【請求項８】
請求項１乃至６のいずれか一つに記載の回転型表示装置において、
前記回転表示部が有機ＥＬディスプレイであることを特徴とする回転型表示装置。
【請求項９】
請求項１乃至６のいずれか一つに記載の回転型表示装置において、
前記回転表示部がプラズマディスプレイであることを特徴とする回転型表示装置。
【請求項１０】
請求項１乃至６のいずれか一つに記載の回転型表示装置において、
前記回転表示部が投射型表示装置のスクリーンであることを特徴とする回転型表示装置。
【発明の詳細な説明】
【技術分野】
【０００１】
本発明は、回転表示部を回転させて３次元的な表示を行う回転型表示装置に関する。
【背景技術】
【０００２】
従来、２次元の画像を撮影された方向に直接表示する表示部を回転させる回転型表示装置が知られている（非特許文献１）。
この回転型表示装置では、ノート型パソコン（パーソナルコンピュータ）を回転させ、その表示部に異なる方向から撮影した画像をノート型パソコンの回転周期に同期して表示させる。これにより、観察者の位置（視点位置）により異なる映像、例えば人物を異なる方向から撮影した人物の前後左右像を観察できる。
【非特許文献１】日本バーチャルリアリティ学会第８回大会論文集（２００３年９月）、ｐｐ．１１５−１１８
【発明の開示】
【発明が解決しようとする課題】
【０００３】
ところで、上記非特許文献１に記載されている従来の回転型表示装置は、ノート型パソコンをそのまま回転させているので、回転型表示装置の回転時に受ける空気抵抗が大きく、表示部が大きくなるほどノート型パソコンを回転させるための大きな回転トルクが必要になる。
【０００４】
本発明は、上記従来の問題点に着目してなされたもの、その目的は、回転トルクを低減することのできる回転型表示装置を提供することにある。
【課題を解決するための手段】
【０００５】
本発明における回転型表示装置は、回転表示部を回転させ、異なる方向から撮影した画像を前記回転表示部の回転周期に同期して表示させる回転型表示装置において、
前記回転表示部を透明な保護容器内に設置し、
前記保護容器内を、前記回転表示部の回転時に受ける抵抗が小さくなるようにしたことを要旨とする。
【０００６】
これによれば、保護容器内を、前記回転表示部の回転時に受ける抵抗が小さくなるようにしたことにより、回転表示部の回転トルクを低減することができる。
この回転型表示装置において、前記保護容器内の気圧を前記保護容器外の気圧より低くしたことを要旨とする。
【０００７】
これによれば、回転表示部を透明な保護容器内に設置し、その保護容器内の気圧を保護容器外の気圧より低くしているため、上記従来技術よりも、回転表示部の回転時に受ける空気抵抗がより小さくなり、回転表示部を回転させるモータに掛かる負荷を低減することができる。したがって、回転表示部を回転させるための回転トルクを低減することができる。
【０００８】
この回転型表示装置において、前記保護容器内を、空気より軽い気体で満たしたことを要旨とする。
これによれば、保護容器内を空気より軽い気体で満たしているため、保護容器内と外部の圧力が同等になる。これによって、保護容器に加わる圧力を軽減できるため、保護容器の素材等の選択肢が増す。
【０００９】
この回転型表示装置において、外気圧をＰ０、前記保護容器内の気圧をＰ１、前記回転表示部の内部圧力をＰ２とすると、Ｐ０＞Ｐ１＞Ｐ２或いはＰ０＞Ｐ１＝Ｐ２であることを要旨とする。
【００１０】
これによれば、回転表示部の内部圧力Ｐ２を、その外部の圧力である保護容器５内の気圧Ｐ１と同じか或いはそれより低くしているので、回転表示部を保護容器が無い場合と同じ状態で設置することができる。このため、内部を真空にしてある液晶ディスプレイ等の平面型のディスプレイが破壊しない状態を得ることができる。
【００１１】
この回転型表示装置において、前記保護容器を前記回転表示部が回転可能に支持された台座に密着させて、前記保護容器内を密閉構造としたことを要旨とする。
これによれば、保護容器内の気密を保つことができる。
【００１２】
この回転型表示装置において、前記保護容器内の気圧を保持するための排気装置を備えることを要旨とする。
これによれば、保護容器内の気圧を排気装置により一定に保ったり、保護容器内の気圧が高くなった場合には保護容器内の空気を排気装置により排気することができる。
【００１３】
この回転型表示装置において、前記回転表示部が液晶ディスプレイであることを要旨とする。
これによれば、液晶ディスプレイで構成した回転表示部の回転トルクを低減することができる。
【００１４】
この回転型表示装置において、前記回転表示部が有機ＥＬディスプレイであることを要旨とする。
これによれば、有機ＥＬディスプレイで構成した回転表示部の回転トルクを低減することができる。
【００１５】
この回転型表示装置において、前記回転表示部がプラズマディスプレイであることを要旨とする。
これによれば、プラズマディスプレイで構成した回転表示部の回転トルクを低減することができる。
【００１６】
この回転型表示装置において、前記回転表示部が投射型表示装置のスクリーンであることを要旨とする。
これによれば、投射型表示装置のスクリーンで構成した回転表示部の回転トルクを低減することができる。
【発明を実施するための最良の形態】
【００１７】
以下、本発明を具体化した各実施形態を、図面に基づいて説明する。
[ 第１実施形態] 
第１実施形態に係る回転型表示装置１を、図１及び図２に基づいて説明する。
【００１８】
この回転型表示装置１は、図１に示すように、台座２と、台座２上に回転可能に支持された回転表示部３と、回転表示部３を回転させるモータ４と、回転表示部３を収容する透明な保護容器５とを備える。
【００１９】
回転表示部３は、液晶ディスプレイ等の平面型のディスプレイで構成されている。回転表示部３の底面はモータ４の回転軸６に固定され、回転軸６がモータ４により回転駆動されることにより、回転表示部３が略垂直な仮想の回転中心７を中心に回転するようになっ
ている。
【００２０】
こうして回転表示部３をモータ４により回転させることにより、異なる方向から撮影した画像を回転表示部３の回転周期に同期して、回転表示部３により表示させるようになっている。
【００２１】
例えば、人物などの被写体を異なる４つの方向からそれぞれ撮影した画像を、図１の矢印で示す時計方向に回転される回転表示部３が１回転する間の０°〜９０°、９０°〜１８０°、１８０°〜２７０°、及び２７０°〜３６０°の各表示期間に表示させる。この場合、４つの方向からそれぞれ撮影した画像を、互いに９０°ずれた観察位置である視点Ａ〜Ｄで観察することができる。
【００２２】
視点Ａで回転表示部３の表示面３ａを見ると、その表示面３ａが視点Ａと正対する位置（図１の実線位置）を中心とする所定の角度範囲で、人物を正面から撮影した複数フレームの画像を観察できる（図２（ａ）参照）。
【００２３】
視点Ｄで回転表示部３の表示面３ａを見ると、その表示面３ａが視点Ｄと正対する位置（図１の二点鎖線で示す位置）を中心とする所定の角度範囲で、人物を右側面から撮影した複数フレームの画像を観察できる（図２（ｄ）参照）。
【００２４】
視点Ｃで回転表示部３の表示面３ａを見ると、その表示面３ａが視点Ｃと正対する位置、つまり図１の実線位置から回転表示部３が１８０°回転した位置を中心とする所定の角度範囲で、人物を背面から撮影した複数フレームの画像を観察できる（図２（ｃ）参照）。
【００２５】
そして、視点Ｂで回転表示部３の表示面３ａを見ると、その表示面３ａが視点Ｂと正対する位置、つまり図１の二点鎖線で示す位置から回転表示部３が１８０°回転した位置を中心とする所定の角度範囲で、人物を左側面から撮影した複数フレームの画像を観察できる（図２（ｂ）参照）。
【００２６】
このように回転型表示装置１では、モータ４で回転軸６を回転駆動して、回転表示部３を図１の矢印方向にある回転数で回転させる。そして、４つの方向から撮影した画像が回転表示部３の回転周期に同期して回転表示部３によりそれぞれ表示されるように、回転表示部３を駆動制御する。
【００２７】
このように回転表示部３を駆動制御しながら、ある回転数で回転している回転表示部３の表示面３ａを視点Ａで見ると、図２（ａ）に示すような人物を正面から撮影した動きのある画像が３次元的に表示される。その表示面３ａを視点Ｄで見ると、図２（ｄ）に示すような人物を右側面から撮影した動きのある画像が３次元的に表示される。その表示面３ａを視点Ｃで見ると、図２（ｃ）に示すような人物を背面から撮影した動きのある画像が３次元的に表示される。そして、その表示面３ａを視点Ｂで見ると、図２（ｂ）に示すような人物を左側面から撮影した動きのある画像が３次元的に表示される。
【００２８】
このような構成を有する回転型表示装置１の特徴は、回転表示部３を透明な保護容器５内に設置し、その保護容器５内を、保護容器５内を、回転表示部３の回転時に受ける抵抗が小さくなるようにしている点にある。保護容器５内を、回転表示部３の回転時に受ける抵抗が小さくなるにするために、本実施形態では、保護容器５内の気圧を保護容器５外の気圧より低くしている。つまり、外気圧（保護容器５外の気圧）をＰ０、保護容器５内の気圧をＰ１とすると、Ｐ０＞Ｐ１となるように、保護容器５内の気圧を設定してある。
【００２９】
以上のように構成された第１実施形態によれば、以下の作用効果を奏する。
○回転表示部３を透明な保護容器５内に設置し、その保護容器５内の気圧を保護容器５外の気圧（外気圧Ｐ０）より低くしているため、上記従来技術よりも、回転表示部３の回転時に受ける空気抵抗がより小さくなり、回転表示部３を回転させるモータ４に掛かる負荷を低減することができる。したがって、回転表示部３を回転させるための回転トルクを低減することができる。
【００３０】
○回転トルクを低減できるため、モータ４を小型化することができる。これにより、回転型表示装置１全体の小型化と消費電力の低減とを図ることができる。
○保護容器５により、回転表示部３を保護することができる。
【００３１】
[ 第２実施形態] 
次に、第２実施形態に係る回転型表示装置を説明する。
この第２実施形態に係る回転型表示装置は、図１に示す上記第１実施形態において、保護容器５内を空気より軽い気体で満たした点に特徴がある。
【００３２】
以上のように構成された第２実施形態によれば、上記第１実施形態の奏する作用効果に加えて以下の作用効果を奏する。
○保護容器５内と外部の圧力を同等にすることによって、保護容器５に加わる圧力を軽減できるため、保護容器５の素材等の選択肢が増す。
【００３３】
[ 第３実施形態] 
次に、第３実施形態に係る回転型表示装置を説明する。
この第３実施形態に係る回転型表示装置は、図１に示す上記第１実施形態において、液晶ディスプレイ等の平面型のディスプレイで構成した回転表示部３の内部圧力をＰ２とすると、Ｐ０＞Ｐ１＞Ｐ２或いはＰ０＞Ｐ１＝Ｐ２とした点に特徴がある。
【００３４】
以上のように構成された第３実施形態によれば、上記第１実施形態の奏する作用効果に加えて以下の作用効果を奏する。
○回転表示部３の内部圧力Ｐ２を、その外部の圧力である保護容器５内の気圧Ｐ１と同じか或いはそれより低くしているので、回転表示部３を保護容器５が無い場合と同じ状態で設置することができる。このため、内部を真空にしてある液晶ディスプレイ等の平面型のディスプレイが破壊しない状態を得ることができる。
【００３５】
[ 第４実施形態] 
次に、第４実施形態に係る回転型表示装置を説明する。
この第４実施形態に係る回転型表示装置は、図１に示す上記第１実施形態において、保護容器５を回転表示部３が回転可能に支持された台座２の上面２ａに密着させて、保護容器５内を密閉構造とした点に特徴がある。
【００３６】
以上のように構成された第４実施形態によれば、上記第１実施形態の奏する作用効果に加えて以下の作用効果を奏する。
○保護容器５を回転表示部３が回転可能に支持された台座２の上面２ａに密着させることにより、保護容器５内の気密を保つことができる。
【００３７】
[ 第５実施形態] 
次に、第５実施形態に係る回転型表示装置を図３に基づいて説明する。
この第５実施形態に係る回転型表示装置は、図１に示す上記第１実施形態において、保護容器５内の気圧を保持するための排気装置として排気ポンプ１０を設けた点に特徴がある。
【００３８】
排気ポンプ１０は、排気ダクト１１及び台座２内の空間を介して保護容器５内の空気を排気できるようになっている。
以上のように構成された第５実施形態によれば、上記第１実施形態の奏する作用効果に加えて以下の作用効果を奏する。
【００３９】
○保護容器５内の気圧を排気ポンプ１０により一定に保ったり、保護容器５内の気圧が高くなった場合には保護容器５内の空気を排気ポンプ１０により排気することができる。したがって、保護容器５内の気圧を一定に保つことができる。
【００４０】
[ 第６実施形態] 
次に、第６実施形態に係る回転型表示装置を図４に基づいて説明する。
この第６実施形態に係る回転型表示装置１Ａは、回転表示部３０を投射型表示装置のスクリーンとした点で上記第１実施形値と異なる。
【００４１】
この回転型表示装置１Ａの回転表示部３０は、図４に示すように、モータ４の回転軸３６に固定された底壁と、４つの側壁とを有する筒状の筐体で構成されている。回転軸３６がモータ４により回転駆動されることにより、回転表示部３０全体が、台座２上で回転されるようになっている。回転表示部３０の４つの側壁がそれぞれ、凹面形状を有するスクリーンＤ１〜Ｄ４になっている。
【００４２】
また、回転型表示装置１Ａは、人物などを異なる方向からそれぞれ撮影した画像を表わす光を４つのスクリーンＤ１〜Ｄ４の各々に、回転表示部３０の回転周期に同期してそれぞれ投射する４つの投射型表示装置ＰＲ１〜ＰＲ４を備えている。これら４つの投射型表示装置ＰＲ１〜ＰＲ４は、回転軸３６がモータ４により回転駆動されることにより、回転表示部３０と一緒に図４の矢印方向に回転するようになっている。
【００４３】
４つのスクリーンＤ１〜Ｄ４には、４つの投射型表示装置ＰＲ１〜ＰＲ４により、例えば図２（ａ）〜（ｄ）に示すような画像がそれぞれ表示される。
この回転型表示装置１Ａでは、回転表示部３が１回転する間に、スクリーンＤ１〜Ｄ４が視点Ａ〜Ｄとそれぞれ正対する位置を中心とする所定の角度範囲で、各スクリーンＤ１〜Ｄ４に異なる方向から撮影した画像が同時に表示されるように、各投射型表示装置ＰＲ１〜ＰＲ４を駆動制御する。
【００４４】
そして、この回転型表示装置１Ａでは、回転表示部３０を透明な保護容器５０内に設置し、その保護容器５０内の気圧を保護容器５０外の気圧より低くしている。つまり、外気圧（保護容器５０外の気圧）をＰ０、保護容器５０内の気圧をＰ１とすると、Ｐ０＞Ｐ１となるように、保護容器５０内の気圧を設定してある。
【００４５】
以上のように構成された第６実施形態によれば、上記第１実施形態と同様に、以下の作用効果を奏する。
○回転表示部３０を回転させるための回転トルクを低減することができる。
【００４６】
○回転トルクを低減できるため、モータ４を小型化することができる。これにより、回転型表示装置１Ａ全体の小型化と消費電力の低減とを図ることができる。
○保護容器５０により、回転表示部３０を保護することができる。
【００４７】
［投射型表示装置］
次に、上記第６実施形態で用いた投射型表示装置ＰＲ１〜ＰＲ４の一例を、図５に基づいて説明する。
【００４８】
この投射型表示装置１１０は、Ｒ（赤）、Ｇ（緑）、Ｂ（青）の異なる色毎に透過型液晶ライトバルブ１１２，１１３，１１４を備えた３板式の投射型カラー表示装置である。これらの透過型液晶ライトバルブ１１２，１１３，１１４が、液晶表示パネルでそれぞれ構成されている。
【００４９】
投射型表示装置１１０は、プロジェクタ本体１１１と、照明装置１２０と、色分離合成系１３０と、複数の投射レンズを有する投射装置としての投射光学系１４０とを備えている。プロジェクタ本体１１１内に、照明装置１２０及び色分離合成系１３０や、電源装置１５０等が内蔵されている。
【００５０】
照明装置１２０は、光源１１５と、２つのフライアイレンズ１１６，１１７と、偏光変換装置１１８とを有する。色分離合成系１３０は、２つのダイクロイックミラー１２１，１２２と、３つの反射ミラー１２３〜１２５と、３つのリレーレンズ１２６〜１２８と、３つの液晶ライトバルブ１１２〜１１４と、クロスダイクロイックプリズム１２９とを有する。
【００５１】
光源１１５は、高圧水銀ランプ或いはメタルハライドランプ等のランプ１２０ａと、ランプ１２０ａからの光Ｌ（以下、「光源光Ｌ」という。）を反射するリフレクタ１２０ｂとを有する。また、光源光Ｌの照度分布を液晶ライトバルブ１１２〜１１４において均一化させるために、２つのフライアイレンズ１１６，１１７が設けられている。各フライアイレンズ１１６，１１７は、二次元に配置された複数個（例えば、６×８個）のレンズ１１６ａ，１１７ａでそれぞれ構成されている。こうして、液晶ライトバルブ１１２〜１１４は、光源光Ｌでフライアイレンズ１１６，１１７によって均一な照度で照明されるようになっている。
【００５２】
偏光変換装置１１８は、フライアイレンズ１１７側に設けられた偏光ビームスプリッタアレイ（ＰＢＳアレイ）と、ＰＢＳアレイによって反射された偏光の偏光方向を変換する１／２波長板とを有し、光源光Ｌの光強度を損なうことなく光の偏光方向を一方向に揃えるようになっている。
【００５３】
ダイクロイックミラー１２１，１２２は、例えばガラス基板に所定の波長選択性を持つ誘電体多層膜を積層したものである。ダイクロイックミラー１２１は、光源光Ｌのうちの赤色光ＬＲを透過させるとともに、緑色光ＬＧと青色光ＬＢを反射させるようになっている。また、ダイクロイックミラー１２２は、ダイクロイックミラー１２１で反射された緑色光ＬＧと青色光ＬＢのうち、緑色光ＬＧを反射させるとともに、青色光ＬＢを透過させるようになっている。
【００５４】
これにより、色分離合成系１３０では、照明装置１２０から入射する光源光Ｌのうち、赤色光ＬＲは、ダイクロイックミラー１２１を透過した後、反射ミラー１２３で反射されて赤色光用の液晶ライトバルブ１１２に入射される。緑色光ＬＧは、ダイクロイックミラー１２１で反射された後、ダイクロイックミラー１２２で反射されて緑色光用の液晶ライトバルブ１１２に入射される。青色光ＬＢは、ダイクロイックミラー１２１で反射された後、ダイクロイックミラー１２２を透過し、３つのリレーレンズ１２６〜１２８と２つの反射ミラー１２４、１２５からなるリレー系を経て、青色光用の液晶ライトバルブ１１４に入射される。
【００５５】
光変調装置としての液晶ライトバルブ１１２〜１１４は、ビデオ信号などの表示データに基づいて図示を省略した駆動回路によりそれぞれ駆動されるようになっている。
クロスダイクロイックプリズム１２９は、直角プリズムが貼り合わされた構造となって
おり、十字状に直交する２つのミラー面の一方には、赤色光ＬＲを反射させるとともに緑色光ＬＧを透過させる誘電体多層膜が、その他方には、青色光ＬＢを反射させるとともに緑色光ＬＧを透過させる誘電体多層膜がそれぞれ形成されている。そして、赤色光ＬＲ、緑色光ＬＧ及び青色光ＬＢの３つの色光が、クロスダイクロイックプリズム１２９によって合成されてカラー画像を表わす光が形成され、この光が投射光学系１４０によりスクリーン１４１上に拡大投射されるようになっている。
【００５６】
このような構成を有する投射型表示装置１１０を図４に示す上記投射型表示装置ＰＲ１〜ＰＲ４にそれぞれ用いることにより、図４に示すスクリーンＤ１〜Ｄ４で高品質な表示画像が得られる回転型表示装置を実現することができる。
【００５７】
[ 変形例] 
なお、この発明は以下のように変更して具体化することもできる。
・上記第１実施形態では、一つの表示部を有する回転表示部３を回転させているが、複数の表示部を有する回転表示部を回転させる構成の回転型表示装置にも本発明は適用可能である。例えば、図４に示すような４つの表示部を有するもので、４つの表示部の各々を薄型の液晶ディスプレイとした構成の回転型表示装置にも本発明は適用可能である。
【００５８】
・上記第１実施形態では、回転表示部３を液晶ディスプレイ等の平面型のディスプレイで構成しているが、回転表示部３を、液晶ディスプレイに代えて、有機ＥＬディスプレイ、ＦＥＤ、プラズマディスプレイ（ＰＤＰ）などの平面型のディスプレイを使用する構成にも本発明は適用可能である。
【００５９】
・図３に示す上記第５実施形態では、排気ポンプ１０を台座２の外部に配置しているが、排気ポンプ１０を台座２内に配置するように構成してもよい。
・図４に示す上記第６実施形態では、回転表示部３０を４つのスクリーンＤ１〜Ｄ４を有する構成としているが、このような構成に本発明は限定されない。例えば、回転表示部３０が、３つのスクリーンを有する構成にも本発明は適用可能である。
【００６０】
・上記第６実施形態では、回転軸３６がモータ４により回転駆動されることにより、回転表示部３０全体が４つの投射型表示装置ＰＲ１〜ＰＲ４と一緒に台座２上で回転されるようになっている。しかし、本発明はこのような構成に限定されない。例えば、複数のスクリーンと同数の投射型表示装置を回転表示部３０内に配置し、各投射型表示装置の一部を回転表示部３０と一緒に回転させる構成、或いは複数の投射型表示装置は回転させずに回転表示部３０のみを回転させる構成にも本発明は適用可能である。このような構成によれば、モータ４に掛かる負荷をさらに低減することができる。
【００６１】
・上記第６実施形態では、回転表示部３０の内部に４つの投射型表示装置ＰＲ１〜ＰＲ４を配置した構成について一例として説明したが、このような構成に本発明は限定されない。例えば、４つのスクリーンＤ１〜Ｄ４の各々に、異なる４つの方向からそれぞれ撮影した２次元の画像を、回転表示部３０の回転周期に同期してそれぞれ投射する４つの投射型表示装置ＰＲ１〜ＰＲ４を、回転表示部３０の周囲に配置する構成にも本発明は適用可能である。この構成によれば、モータ４は回転表示部３０のみを回転させるので、４つの投射型表示装置ＰＲ１〜ＰＲ４の重量分だけモータ４に掛かる負荷を低減することができる。
【００６２】
・上記第６施形態で用いる投射型表示装置の一例として、３板式の投射型カラー表示装置である液晶プロジェクタを図５に基づいて説明したが、１つの液晶ライトバルブを有する液晶プロジェクタを投射型表示装置として用いた構成や、ＤＬＰ（テキサスインストルメンツ社製デバイス）を用いた構成にも本発明は適用可能である。
【図面の簡単な説明】
【００６３】
【図１】第１実施形態に係る回転型表示装置を示す斜視図。
【図２】（ａ）〜（ｄ）は図１に示す回転型表示装置の各視点で表示される画像を示す説明図。
【図３】第５実施形態に係る回転型表示装置を示す斜視図。
【図４】第６実施形態に係る回転型表示装置を示す斜視図。
【図５】図４に示す回転型表示装置で用いる投射型表示装置を示す構成図。
【符号の説明】
【００６４】
１，１Ａ…回転型表示装置、２…台座、３，３０…回転表示部、５，５０…保護容器、６，３６…回転軸、１０…排気装置としての排気ポンプ、Ｄ１〜Ｄ４…表示部としてのスクリーン、Ｐ１…保護容器内の気圧、Ｐ２…回転表示部の内部圧力、ＰＲ１〜ＰＲ４…投射型表示装置。
【図１】
2005223724.tif 000003
【図２】
2005223724.tif 000004
【図３】
2005223724.tif 000005
【図４】
2005223724.tif 000006
【図５】
2005223724.tif 000007